(57)【要約】【課題】ISDBの規格に準拠した伝送方式以外の伝送方式に対応する受信機においても、電力の消費を抑えつつ、例えば緊急放送を受信することができるようにする。【解決手段】緊急放送が開始されたか否かを表す情報である緊急放送テーブルが記述されたパケットが簡易DEMUX５１により抽出される。簡易DEMUX５１に対しては、緊急放送テーブルが記述されたパケットを識別するPIDだけがあらかじめ与えられている。緊急放送テーブルによって緊急放送が開始されていることが表されている場合、フロントエンド２１以外のディジタル放送受信部１１の構成が電源オフの状態になって起動していないときには、各部に電源を供給することを指示する信号が簡易DEMUX５１から電源制御部４３に出力される。本発明は、MPEG2システムを用いた放送を受信することのできる受信機に適用することができる。【選択図】図３
2007243383.tif 000002
【特許請求の範囲】
【請求項１】
所定のIDで識別されるパケットをトランスポートストリームから抽出する抽出手段と、
抽出対象とするパケットの種類が前記抽出手段が抽出対象とするパケットの種類よりも少ない手段であって、前記所定のIDと異なるあらかじめ設定されたIDで識別されるパケットをトランスポートストリームから抽出する簡易抽出手段と、
前記簡易抽出手段により抽出されたパケットに所定の放送が開始されたことを表す情報が記述されているとき、前記抽出手段を含む、起動していないそれぞれの構成に電源を供給させる電源制御手段と
を備える受信装置。
【請求項２】
あらかじめ設定された前記IDで識別されるパケットには、緊急放送が開始されたか否かを表す情報が記述される
請求項１に記載の受信装置。
【請求項３】
前記簡易抽出手段は、トランスポートストリームの復調を行う復調部とともに、前記抽出手段が起動していないときにも起動する
請求項１に記載の受信装置。
【請求項４】
所定のIDで識別されるパケットをトランスポートストリームから抽出する抽出手段と、
抽出対象とするパケットの種類が前記抽出手段が抽出対象とするパケットの種類よりも少ない手段であって、前記所定のIDと異なるあらかじめ設定されたIDで識別されるパケットをトランスポートストリームから抽出する簡易抽出手段と
を備える受信装置の電源制御方法において、
前記簡易抽出手段により抽出されたパケットに所定の放送が開始されたことを表す情報が記述されているとき、前記抽出手段を含む、起動していないそれぞれの構成に電源を供給させる
ステップを含む電源制御方法。
【発明の詳細な説明】
【技術分野】
【０００１】
本発明は、受信装置、および電源制御方法に関し、特に、ISDB(Integrated Services Digital Broadcasting-Terrestrial)の規格に準拠した伝送方式以外の伝送方式に対応する場合においても、電力の消費を抑えつつ、例えば緊急放送を受信させることができるようにした受信装置、および電源制御方法に関する。
【背景技術】
【０００２】
日本のディジタル放送の伝送方式であるISDBの規格では、それぞれの搬送波で採用される変調方式やインタリーブ長の情報を受信機に知らせるための信号としてTMCC(Transmission and Multiplexing Configuration Control)信号が用いられている。
【０００３】
このTMCC信号に含まれるデータは、デマルチプレクサによりパケットを解析することなく、その前段の復調部のみで抽出することができることから、変調方式などの情報の他に、例えば、災害時などに放送される緊急放送が開始されたことを表す情報を受信機に知らせるためにも用いられる。
【０００４】
受信機全体のうち、復調部を含む一部の構成を除いた構成の電源をオフ状態とし、緊急放送が開始されたことを表す情報が復調部によって検出されたことに応じて全体の電源をオン状態にすることによって、電力の消費を抑えつつ、緊急放送をユーザによる操作によらずに自動的に受信することができるようになされている。
【０００５】
図１は、従来の受信機に設けられるディジタル放送受信部（Digital Decoder Block）１１の構成例を示すブロック図である。
【０００６】
フロントエンド２１は、RF処理部４１、復調部４２、および電源制御部４３から構成される。
【０００７】
RF処理部４１は、図示せぬアンテナから供給されたRF信号を選局、検波し、検波して得られた信号を復調部４２に出力する。
【０００８】
復調部４２は、RF処理部４１から供給された信号に対して所定の方式の復調処理を施すことによってトランスポートストリーム信号（以下、TS信号という）を取得し、取得したTS信号をトランスポートデコーダ（DEMUX）２２に出力する。
【０００９】
また、復調部４２は、自身がISDBの伝送方式に対応している場合、RF処理部４１から供給された信号を復調し、TMCC信号を取得する。復調部４２は、取得したTMCC信号によって緊急放送が開始されていることが表されている場合、フロントエンド２１以外のディジタル放送受信部１１の構成が起動していないときには、各部に電源を供給することを指示する信号を電源制御部４３に出力する。
【００１０】
電源制御部４３は、復調部４２からの信号に応じてフロントエンド２１以外の各部に電源を供給し、起動させる。
【００１１】
DEMUX２２は、PLL(Phase Lock Loop)２３から供給されるシステムクロックにしたがって動作し、ホストCPU(Central Processing Unit)３０からバス２９を介して指示されたパケットのPID(Packet ID)と、現在、フロントエンド２１の復調部４２から供給されているTS信号に含まれるパケットのPIDを比較することによって、ホストCPU３０により指示されているPIDと同じPIDのパケットを抽出する。
【００１２】
DEMUX２２は、抽出したパケットがVIDEO PES(Packetized Elementary Stream)のパケットである場合、それをビデオデコーダ２４に出力し、抽出したパケットがAUDIO PESのパケットである場合、それをオーディオデコーダ２５に出力する。また、DEMUX２２は、番組情報などのセクション形式のデータ（以下、セクションデータという）をメモリ２６に出力する。
【００１３】
ディジタル放送受信部１１の他の構成については後に詳述する。DEMUX２２を含む、フロントエンド２１以外のディジタル放送受信部１１の構成は、電源オフの状態になって起動していないとき、電源制御部４３による制御にしたがって起動し、緊急放送などの所定の放送を受信することができる状態になる。
【００１４】
これにより、フロントエンド２１さえ通電させておけば、受信機の状態を緊急放送を受信できる状態にすることができる。また、フロントエンド２１のみを通電させておくことにより、フロントエンド２１以外の構成にも常に通電させておく場合に較べて電力の消費を抑えつつ実現することができる。
【００１５】
TMCC信号を用いて緊急放送を受信する技術については特許文献１に開示されている。
【特許文献１】特開２００５−７９７５２号公報
【発明の開示】
【発明が解決しようとする課題】
【００１６】
しかしながら、TMCC信号によって緊急放送が開始されたことを検出し、復調部を含む一部の構成以外の構成を起動させる以上のような機能はISDBの伝送方式に対応した受信機においてのみ実現することができ、例えば、DVB-S(Digital Video Broadcasting over Satellite)、DVB-S２、ATSC(Advanced Television Systems Committee)などの、他の伝送方式に対応した受信機においては実現することができない。これは、TMCC信号がISDBの規格でのみ用いられているものだからである。
【００１７】
したがって、そのようなISDBの伝送方式以外の伝送方式に対応した受信機において緊急放送を受信するためには、フロントエンド２１だけでなく他の構成も、常に通電させておく必要がある。
【００１８】
本発明はこのような状況に鑑みてなされたものであり、ISDBの規格に準拠した伝送方式以外の伝送方式に対応する受信機においても、電力の消費を抑えつつ、例えば緊急放送を受信させることができるようにするものである。
【課題を解決するための手段】
【００１９】
本発明の一側面の受信装置は、所定のIDで識別されるパケットをトランスポートストリームから抽出する抽出手段と、抽出対象とするパケットの種類が前記抽出手段が抽出対象とするパケットの種類よりも少ない手段であって、前記所定のIDと異なるあらかじめ設定されたIDで識別されるパケットをトランスポートストリームから抽出する簡易抽出手段と、前記簡易抽出手段により抽出されたパケットに所定の放送が開始されたことを表す情報が記述されているとき、前記抽出手段を含む、起動していないそれぞれの構成に電源を供給させる電源制御手段とを備える。
【００２０】
あらかじめ設定された前記IDで識別されるパケットには、緊急放送が開始されたか否かを表す情報を記述することができる。
【００２１】
前記簡易抽出手段を、トランスポートストリームの復調を行う復調部とともに、前記抽出手段が起動していないときにも起動させることができる。
【００２２】
本発明の一側面の電源制御方法は、所定のIDで識別されるパケットをトランスポートストリームから抽出する抽出手段と、抽出対象とするパケットの種類が前記抽出手段が抽出対象とするパケットの種類よりも少ない手段であって、前記所定のIDと異なるあらかじめ設定されたIDで識別されるパケットをトランスポートストリームから抽出する簡易抽出手段とを備える受信装置の電源制御方法において、前記簡易抽出手段により抽出されたパケットに所定の放送が開始されたことを表す情報が記述されているとき、前記抽出手段を含む、起動していないそれぞれの構成に電源を供給させるステップを含む。
【００２３】
本発明の一側面においては、簡易抽出手段により抽出されたパケットに所定の放送が開始されたことを表す情報が記述されているとき、抽出手段を含む、起動していないそれぞれの構成に電源が供給される。
【発明の効果】
【００２４】
本発明の一側面によれば、ISDBの規格に準拠した伝送方式以外の伝送方式に対応する受信機においても、電力の消費を抑えつつ、例えば緊急放送を受信させることができる。
【発明を実施するための最良の形態】
【００２５】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００２６】
本発明の一側面の受信装置（例えば、図２の受信機１）は、所定のIDで識別されるパケットをトランスポートストリームから抽出する抽出手段（例えば、図３のDEMUX２２）と、抽出対象とするパケットの種類が前記抽出手段が抽出対象とするパケットの種類よりも少ない手段であって、前記所定のIDと異なるあらかじめ設定されたIDで識別されるパケットをトランスポートストリームから抽出する簡易抽出手段（例えば、図３の簡易DEMUX５１）と、前記簡易抽出手段により抽出されたパケットに所定の放送が開始されたことを表す情報が記述されているとき、前記抽出手段を含む、起動していないそれぞれの構成に電源を供給させる電源制御手段（例えば、図３の電源制御部４３）とを備える。
【００２７】
本発明の一側面の電源制御方法は、所定のIDで識別されるパケットをトランスポートストリームから抽出する抽出手段（例えば、図３のDEMUX２２）と、抽出対象とするパケットの種類が前記抽出手段が抽出対象とするパケットの種類よりも少ない手段であって、前記所定のIDと異なるあらかじめ設定されたIDで識別されるパケットをトランスポートストリームから抽出する簡易抽出手段（例えば、図３の簡易DEMUX５１）とを備える受信装置の電源制御方法において、前記簡易抽出手段により抽出されたパケットに所定の放送が開始されたことを表す情報が記述されているとき、前記抽出手段を含む、起動していないそれぞれの構成に電源を供給させるステップ（例えば、図６のステップＳ５）を含む。
【００２８】
以下、本発明の実施の形態について図を参照して説明する。
【００２９】
図２は、本発明の一実施形態に係る受信機１を示す図である。
【００３０】
図２に示されるように、受信機１は、アンテナ２に接続されるとともに、ケーブルなどを介してテレビジョン受像機３にも接続される。アンテナ２から受信機１に対してはRF信号が供給され、受信機１からテレビジョン受像機３に対しては映像信号、音声信号が供給される。
【００３１】
受信機１は、ISDBの伝送方式以外の伝送方式に対応する受信機である。したがって、仮に、ISDBの伝送方式によってテレビジョン放送が行われている場合であっても、受信機１は、緊急放送が開始されたことをTMCC信号に基づいて検出したりすることはできない。
【００３２】
受信機１が対応する伝送方式においては、緊急放送が開始されたか否かを表す情報が、MPEG(Moving Picture Experts Group)2システムの１つのセクションデータとして所定のパケットに記述される。
【００３３】
図３は、図２の受信機１に設けられるディジタル放送受信部１１の構成例を示すブロック図である。
【００３４】
受信機１のディジタル放送受信部１１の構成は、復調部４２とDEMUX２２の間のフロントエンド２１内の位置に簡易DEMUX５１が設けられている点が、図１のディジタル放送受信部１１の構成と異なる。すなわち、フロントエンド２１は、RF処理部４１、復調部４２、電源制御部４３、および、簡易DEMUX５１から構成される。
【００３５】
RF処理部４１は、アンテナ２から供給されたRF信号を選局、検波し、検波して得られた信号を復調部４２に出力する。
【００３６】
復調部４２は、RF処理部４１から供給された信号に対して所定の方式の復調処理を施すことによってトランスポートストリーム信号（以下、TS信号という）を取得し、取得したTS信号をトランスポートデコーダ（DEMUX）２２と簡易DEMUX５１に出力する。
【００３７】
簡易DEMUX５１は、緊急放送が開始されたか否かを表す情報である緊急放送テーブルが記述されたパケットを、あらかじめ設定されたそのパケットを識別するためのPIDと比較することによってTS信号から抽出する。
【００３８】
また、簡易DEMUX５１は、抽出したパケットに記述されている緊急放送テーブルによって、緊急放送が開始されていることが表されている場合、フロントエンド２１以外のディジタル放送受信部１１の構成が電源オフの状態になって起動していないときには、各部に電源を供給することを電源制御部４３に対して指示する。
【００３９】
このように、簡易DEMUX５１は、緊急放送が開始されたか否かを表す情報である緊急放送テーブルが記述されたパケットだけを抽出するDEMUXであり、抽出対象とするパケットの種類が少ないという点で、DEMUX２２に対して「簡易」なDEMUXである。簡易DEMUX５１の詳細な構成については後述する。
【００４０】
電源制御部４３は、簡易DEMUX５１からの指示に応じてフロントエンド２１以外の各部に対して電源を供給する。
【００４１】
DEMUX２２は、PLL(Phase Lock Loop)２３から供給されるシステムクロックにしたがって動作し、ホストCPU(Central Processing Unit)３０からバス２９を介して指示されたパケットのPID(Packet ID)と、現在、フロントエンド２１の復調部４２から供給されているTS信号に含まれるパケットのPIDを比較することによって、ホストCPU３０により指示されているPIDと同じPIDのパケットを抽出する。
【００４２】
DEMUX２２は、抽出したパケットがVIDEO PES(Packetized Elementary Stream)のパケットである場合、それをビデオデコーダ２４に出力し、抽出したパケットがAUDIO PESのパケットである場合、それをオーディオデコーダ２５に出力する。また、DEMUX２２は、番組情報などのセクション形式のデータ（以下、セクションデータという）をメモリ２６に出力する。
【００４３】
PLL２３は、DEMUX２２から供給される制御信号にしたがってシステムクロックを発生し、それをDEMUX２２に出力する。
【００４４】
ビデオデコーダ２４は、DEMUX２２から供給されたビデオデータをデコードし、得られた映像を映像表示装置２７に表示させる。
【００４５】
オーディオデコーダ２５は、DEMUX２２から供給されたオーディオデータをデコードし、得られた音声を音声出力装置２８から出力させる。
【００４６】
メモリ２６は、DEMUX２２から供給されたセクションデータを記憶する。記憶しているセクションデータは、DEMUX２２により所定のタイミングで読み出され、番組表の表示などに適宜用いられる。
【００４７】
映像表示装置２７と音声出力装置２８は例えば図２のテレビジョン受像機３が有する構成である。映像表示装置２７はデコーダ２４から供給された映像信号に基づいて映像を表示し、音声出力装置２８はデコーダ２５から供給された音声信号に基づいて音声を出力する。
【００４８】
ホストCPU３０は、メモリ３１などにロードされたプログラムを実行し、バス２９を介して各部の動作を制御する。ホストCPU３０は、例えば、カードI/F(Interface)３２に挿入されたICカード３３に記憶されているデータを用いてスクランブルを解くキーを生成し、DEMUX２２により抽出されたトランスポートストリームのスクランブルを解除する。
【００４９】
メモリ３１は、ホストCPU３０が実行するプログラムや、処理に用いるデータなどを適宜記憶する。
【００５０】
カードI/F３２は、CAS(Conditional Access System)カードであるICカード３３から読み出したデータをバス２９を介してホストCPU３０に出力する。
【００５１】
図４は、図３の簡易DEMUX５１の構成例を示すブロック図である。
【００５２】
図４に示されるように、簡易DEMUX５１は、TS同期再生部６１、PID抽出部６２、PID比較部６３、PID設定レジスタ６４、テーブルID抽出部６５、テーブルID比較部６６、テーブルID設定レジスタ６７、CRC(Cyclic Redundancy Check)計算部６８、スタートコード検出部６９、および出力レジスタ７０から構成される。これらの構成は、ソフトウエア的に、またはハードウエア的に実現される。
【００５３】
TS同期再生部６１は、復調部４２から供給されたTS信号の同期をとり、例えば、TSを構成するTSパケットの先頭の位置を表す情報とともにTS信号をPID抽出部６２に出力する。
【００５４】
PID抽出部６２は、TS同期再生部６１から供給されたTS信号を構成するそれぞれのTSパケットのPIDを抽出し、抽出したPIDをTS信号とともにPID比較部６３に出力する。TSパケットの先頭の位置を表す情報がTS同期再生部６１から供給されているから、PID抽出部６２は、TSパケットの先頭の位置を基準としてそれぞれのTSパケットからPIDを抽出することができる。
【００５５】
PID比較部６３は、PID抽出部６２により抽出されたPIDと、PID設定レジスタ６４に記憶されているPIDを比較し、PID設定レジスタ６４に記憶されているPIDと同じPIDにより識別されるパケットを取得する。PID設定レジスタ６４には、緊急放送テーブルが記述されたパケットを識別するPIDが、ホストCPU３０による制御などによってあらかじめ記憶されている。PID比較部６３は、緊急放送テーブルが記述されている、PID設定レジスタ６４に記憶されているPIDと同じPIDにより識別されるパケットをテーブルID抽出部６５に出力する。
【００５６】
テーブルID抽出部６５は、PID比較部６３から供給されたパケットに記述される緊急放送テーブルからテーブルIDを抽出し、抽出したテーブルIDを、PID比較部６３から供給されたパケットとともにテーブルID比較部６６に出力する。
【００５７】
テーブルID比較部６６は、テーブルID抽出部６５により抽出されたテーブルIDと、テーブルID設定レジスタ６７に記憶されているテーブルIDを比較し、テーブルID抽出部６５から供給されたパケット（PID設定レジスタ６４に記憶されているPIDと同じPIDにより識別されるパケット）に記述されているテーブルが緊急放送テーブルであるかをさらに確認する。すなわち、PIDに基づいて緊急放送テーブルが記述されているパケットが確認され、その確認されたパケットに記述されているテーブルが緊急放送テーブルであるか否かがさらにテーブルIDに基づいて確認される。
【００５８】
テーブルID設定レジスタ６７には、緊急放送テーブルを識別するテーブルIDがあらかじめ記憶されている。テーブルID比較部６６は、テーブルID設定レジスタ６７に記憶されているテーブルIDと同じテーブルIDにより識別される緊急放送テーブルをCRC計算部６８に出力する。
【００５９】
CRC計算部６８は、テーブルID比較部６６から供給された緊急放送テーブルのCRCを計算する。CRC計算部６８は、計算結果に基づいて、緊急放送テーブルの記述内容にエラーがないと判定した場合、緊急放送テーブルをスタートコード検出部６９に出力する。
【００６０】
スタートコード検出部６９は、CRC計算部６８から供給された緊急放送テーブルに記述されているスタートコード（例えば、後述する「start_end_flag」）を検出し、その設定値を出力レジスタ７０に記憶させる。例えば、「start_end_flag」の値が１である場合、それは緊急放送が開始されていることを表し、「start_end_flag」の値が０である場合、それは緊急放送が開始されていないことを表す。
【００６１】
出力レジスタ７０に記憶されている設定値は電源制御部４３により読み出され、読み出された設定値にしたがって、フロントエンド２１以外のディジタル放送受信部１１の各部への電源の供給が制御される。
【００６２】
このように、簡易DEMUX５１においては１種類のPIDフィルタ、１種類のテーブルIDフィルタが実現されるだけであり、複数のパケット、複数のテーブルをフィルタリングする必要がないから、PID設定レジスタ６４、テーブルID設定レジスタ６７も、数１０Byte程度の記憶容量が確保されていれば済む。
【００６３】
図５は、緊急放送テーブルの例を示す図である。
【００６４】
緊急放送テーブルの記述は、簡易DEMUX５１の処理コスト、製造コストを減らすためにできるだけ簡単な記述とされ、セクションデータとして伝送される。
【００６５】
図５に示されるように、緊急放送テーブルには、上から、８bitの「table_id」、１bitの「section_syntax_indicator」、１bitの「reserved_future_use」、２bitの「reserved」、１２bitの「section_length」、１８bitの「reserved」、５bitの「version_number」、１bitの「current_next_indicator」、１bitの「section_number」、１bitの「last_section_number」が記述される。
【００６６】
このうちの「table_id」が、あらかじめ定められた、緊急放送テーブルを識別するIDである。
【００６７】
また、緊急放送テーブルには、１６bitの「service_id」、１bitの「start_end_flag」、１bitの「signal_level」、６bitの「reserved_future_use」、８bitの「area_code_length」、１２bitの「area_code」、４bitの「reserved_future_use」が記述される。緊急放送テーブルの最後にはCRCで用いられる情報が記述される。
【００６８】
このうちの「start_end_flag」が、緊急放送が開始されているか否かを表す情報を表すスタートコードである。上述したように、その値の１は緊急放送が開始されていることを表し、０は緊急放送が開始されていないことを表す。なお、図５の「for(i=0;i<N;i++)」以降の記述は、従来のTMCC信号における緊急放送テーブルの記述と同じ記述である。
【００６９】
ここで、図６のフローチャートを参照して、緊急放送が開始されているか否かを検出して電源の供給を制御する受信機１の処理について説明する。
【００７０】
図６の処理は、例えば、フロントエンド２１だけ起動し、ディジタル放送受信部１１の他の構成は起動していない状態で開始される。フロントエンド２１は、緊急放送が開始されるのを待機する状態になる。
【００７１】
待機状態のとき、フロントエンド２１の簡易DEMUX５１においては、復調部４２から供給されたTS信号の同期がTS同期再生部６１によりとられ、同期のとれたTS信号がPID抽出部６２に出力される。また、TS信号を構成するそれぞれのTSパケットのPIDがPID抽出部６２により抽出され、抽出されたPIDがTS信号とともにPID比較部６３に出力される。
【００７２】
なお、フロントエンド２１が緊急放送が開始されるのを待機する状態になる前、簡易DEMUX５１のPID設定レジスタ６４には緊急放送テーブルが記述されるTSパケットのPIDやホストCPU３０により設定される。
【００７３】
緊急放送テーブルが記述されるTSパケットのPIDが固定のものである場合、受信機１が製品として出荷される時点で、そのPIDがPID設定レジスタ６４に記憶されているようにしてもよい。これにより、ホストCPU３０による制御に応じてPID設定レジスタ６４の記憶内容を書き換えたりする必要がないから、簡易DEMUX５１の設計が容易になる。
【００７４】
ステップＳ１において、PID比較部６３は、PID抽出部６２により抽出されたPIDと、PID設定レジスタ６４に記憶されているPIDを比較し、供給されるTS信号を構成するパケットのPIDの中に、緊急放送テーブルが記述されたパケットを識別するPIDがあるか否かを判定する。
【００７５】
PID比較部６３は、ステップＳ１において、緊急放送テーブルが記述されたパケットを識別するPIDがあると判定した場合、緊急放送テーブルが記述されたパケットをテーブルID抽出部６５に出力する。テーブルID抽出部６５においては、PID比較部６３から供給されたパケットに記述される緊急放送テーブルからテーブルIDが抽出され、抽出されたテーブルIDが、緊急放送テーブルが記述されたパケットとともにテーブルID比較部６６に出力される。
【００７６】
ステップＳ２において、テーブルID比較部６６は、テーブルID抽出部６５により抽出されたテーブルIDと、テーブルID設定レジスタ６７に記憶されているテーブルIDを比較し、テーブルID抽出部６５から供給されたパケットに記述されているテーブルが緊急放送テーブルであるか否かを判定する。
【００７７】
テーブルID比較部６６は、ステップＳ２において、テーブルID抽出部６５から供給されたパケットに記述されているテーブルが緊急放送テーブルであると判定した場合、緊急放送テーブルをCRC計算部６８に出力する。
【００７８】
ステップＳ３において、CRC計算部６８は、テーブルID比較部６６から供給された緊急放送テーブルのCRCを計算し、その記述内容にエラーがないか否かを判定する。CRC計算部６８は、テーブルID比較部６６から供給された緊急放送テーブルのCRCの記述内容にエラーがないと判定した場合、緊急放送テーブルをスタートコード検出部６９に出力する。
【００７９】
ステップＳ４において、スタートコード検出部６９は、CRC計算部６８から供給された緊急放送テーブルに記述されているスタートコードを検出し、その設定値が、緊急放送が開始されていることを表しているか否かを判定する。
【００８０】
スタートコード検出部６９は、ステップＳ４において、CRC計算部６８から供給された緊急放送テーブルに記述されているスタートコードの設定値が、緊急放送が開始されていることを表していると判定した場合、ステップＳ５に進み、緊急放送が開始されていることを表すスタートコードの設定値を出力レジスタ７０に記憶させることによって、フロントエンド２１以外の各部への電源の供給の開始を電源制御部４３に指示する。
【００８１】
これにより、フロントエンド２１以外のディジタル放送受信部１１の各部が起動した状態になり、復調部４２から出力されるTS信号から緊急放送のデータがDEMUX２２により抽出され、抽出されたデータに基づいて、例えば、災害に関する情報などがユーザに提示される。
【００８２】
ステップＳ１において緊急放送テーブルが記述されたパケットを識別するPIDがないと判定された場合、ステップＳ２においてテーブルID抽出部６５から供給されたパケットに記述されているテーブルが緊急放送テーブルでないと判定された場合、ステップＳ３において緊急放送テーブルの記述内容にエラーがあると判定された場合、または、ステップＳ４においてスタートコードの設定値が緊急放送が開始されていることを表していないと判定された場合、処理はステップＳ１に戻り、それ以降の処理が繰り返される。
【００８３】
このような処理が行われるようにすることによって、受信機１の伝送方式がISDBの伝送方式に対応していない場合でも、MPEG2システムのデータを用いて、緊急放送の開始を電力の消費を抑えた状態で検出させることができる。上述した緊急放送テーブルはセクションデータであってMPEG2システムのデータであるから、伝送方式の違いに左右されず、所定の伝送方式によって伝送されてきたMPEG2システムのデータを処理することができる受信機であれば、様々な受信機に同様のことを行わせることができる。
【００８４】
以上においては、MPEG2システムでいうPAT(Program Association Table)、PMT(Program Map Table)などと同様のセクションデータとして緊急放送テーブル伝送されるものとしたが、この緊急放送テーブルは、図７Ａ、図７Ｂに示されるTSパケットのペイロードの部分だけでなく、図７Ｂ、図７Ｃに示されるアダプテーションフィールドの部分に記述されるようにしてもよい。アダプテーションフィールドはPCR(Program Clock Reference)などが記述される領域であり、この領域にはプライベートな領域を設け、各種の情報を記述することが可能である。
【００８５】
図７Ａ乃至Ｃは、TSパケットに形成される領域の組合せの例を示す図である。
【００８６】
図７Ａは、４バイトのヘッダに続けて１８４バイトのペイロードが形成されるTSパケットの構成を示し、図７Ｂは、４バイトのヘッダに続けて所定のバイト数のアダプテーションフィールドと、所定のバイト数のペイロードが形成されるTSパケットの構成を示す。図７Ｂにおいて、アダプテーションフィールドのバイト数とペイロードのバイト数の合計は１８４バイトである。図７Ｃは、４バイトのヘッダに続けて１８４バイトのアダプテーションフィールドが形成されるTSパケットの構成を示す。
【００８７】
また、以上においては、緊急放送の開始を検出するためのデータを伝送する場合について説明したが、これに限らず、受信に必要なデータであって、かつ、簡単に記述されたデータを伝送することも可能である。
【００８８】
本明細書において、プログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【００８９】
【図１】従来の受信機に設けられるディジタル放送受信部の構成例を示すブロック図である。
【図２】本発明の一実施形態に係る受信機を示す図である。
【図３】図２の受信機に設けられるディジタル放送受信部の構成例を示すブロック図である。
【図４】図３の簡易DEMUXの詳細な構成例を示すブロック図である。
【図５】緊急放送テーブルの例を示す図である。
【図６】受信機の電源制御処理について説明するフローチャートである。
【図７】TSパケットに形成される領域の組合せの例を示す図である。
【符号の説明】
【００９０】
１  受信機，  １１  ディジタル放送受信部，  ２１  フロントエンド，  ２２  DEMUX，  ４１  RF処理部，  ４２  復調部，  ４３  電源制御部，  ５１  簡易DEMUX
【図１】
2007243383.tif 000003
【図２】
2007243383.tif 000004
【図３】
2007243383.tif 000005
【図４】
2007243383.tif 000006
【図５】
2007243383.tif 000007
【図６】
2007243383.tif 000008
【図７】
2007243383.tif 000009